(57)【要約】【課題】後処理が必要な印刷処理中に給紙不能となったとき、他の給紙部に切り替えて印刷処理を継続可能な画像形成装置であって、前記他の給紙部からの不要な給紙をなくし、資材コストを抑制することができる画像形成装置を提供する。【解決手段】印刷された用紙を後処理するフィニッシャ１６の用紙属性毎に設定された上限処理枚数を管理する枚数管理手段１８０と、用紙属性の異なる用紙が収容された複数の給紙部１４のうち初期選択された給紙部１４から給紙された用紙への印刷処理中に用紙切れすると他の給紙部１４に切り替えて印刷処理を継続する自動給紙切替手段１８１とを備えた画像形成装置１に、後処理設定された印刷処理中に、給紙中の給紙部１４の用紙が切れたときに、前記上限処理枚数と切替候補の給紙部１４の用紙属性に基づいて自動給紙切替手段１８１を作動させるか否かを判別する給紙部切替判別手段１８２を備える。【選択図】図１
2008239296.tif 000002
【特許請求の範囲】
【請求項１】
印刷された用紙を後処理するフィニッシャの用紙属性毎に設定された上限処理枚数を管理する枚数管理手段と、用紙属性の異なる用紙が収容された複数の給紙部のうち初期選択された給紙部から給紙された用紙への印刷処理中に前記給紙部の用紙が切れると他の給紙部に切り替える自動給紙切替手段とを備えてなる画像形成装置であって、
後処理を実行するように設定された印刷処理中に、選択されている給紙部の用紙が切れたときに、前記上限処理枚数と前記自動給紙切替手段による切替候補となる給紙部の用紙属性に基づいて自動給紙切替手段を作動させるか否かを判別する給紙部切替判別手段を備えている画像形成理装置。
【請求項２】
前記給紙部切替判別手段は、原稿枚数に基づいて印刷枚数が前記切替候補となる給紙部の用紙属性に基づく上限処理枚数を超えると判断すると、前記自動給紙切替手段の作動を禁止する請求項１記載の画像形成装置。
【請求項３】
前記給紙部切替判別手段は、原稿枚数と印刷モードに基づいて印刷枚数が前記切替候補となる給紙部の用紙属性に基づく上限処理枚数を超えると判断すると、前記自動給紙切替手段の作動を禁止する請求項１記載の画像形成装置。
【請求項４】
印刷対象原稿の枚数を計数する原稿計数手段を備え、前記給紙部切替判別手段は、前記原稿計数手段により計数される原稿枚数が確定するまで、前記自動給紙切替手段の作動を禁止する請求項１から３の何れかに記載の画像形成装置。
【請求項５】
印刷対象原稿の枚数を計数する原稿計数手段を備え、前記原稿計数手段により計数された原稿枚数に基づいて印刷枚数が前記切替候補となる給紙部の用紙属性に基づく上限処理枚数未満であると判断すると、前記給紙切替判別手段は前記自動給紙切替手段の作動を許容し、その後、前記原稿計数手段により計数された原稿枚数に基づいて印刷枚数が前記上限処理枚数を超えると判断すると、前記給紙部からの給紙を停止させる給紙停止手段を備えている請求項１から３の何れかに記載の画像形成装置。
【発明の詳細な説明】
【技術分野】
【０００１】
本発明は、印刷された用紙を後処理するフィニッシャの用紙属性毎に設定された上限処理枚数を管理する枚数管理手段と、用紙属性の異なる用紙が収容された複数の給紙部のうち初期選択された給紙部から給紙された用紙への印刷処理中に前記給紙部の用紙が切れると他の給紙部に切り替えて印刷処理を継続する自動給紙切替手段とを備えてなる画像形成装置に関する。
【背景技術】
【０００２】
従来から、画像形成装置では、印刷処理中に給紙トレイが紙無し等で給紙不能となったときに自動的に他の給紙トレイからの給紙に切り替える制御が一般的に実施されている。
【０００３】
このような中、特許文献１には、特定の用紙種別毎に給紙トレイの切り替え条件を設定することが可能に構成され、印刷処理中に給紙トレイが紙無し等で給紙不能となったときに、切り替え許容設定された給紙トレイからの給紙に切り替えて印刷を継続する機能（以下、「ＡＴＳ機能」と記載する。）を有した画像形成装置が提案されている。
【０００４】
特許文献１に記載された技術によれば、ユーザの意図しない用紙の組み合わせを排除した印字継続が可能であり、作業効率を低下させることなく、ユーザの多様な要求に応えた給紙が可能である。
【特許文献１】特開２００５−８２３１９号公報
【発明の開示】
【発明が解決しようとする課題】
【０００５】
画像形成装置で印刷されて出力された用紙に施すステイプル処理や穿孔処理等の後処理装置では、用紙の厚さを示す用紙属性情報に基づいて上限処理枚数が設定されているステイプラやパンチ等の後処理装置が作動可能な用紙枚数がその用紙の厚さで制限されるためである。
【０００６】
従来の画像形成装置では、後処理を伴う画像形成動作中に、ＡＴＳ機能が作動して用紙厚さが異なった用紙が選択されたときに、当該用紙に対する後処理可能な上限処理枚数は、混在する用紙のうち、条件の厳しい上限処理枚数に変更または維持されていた。
【０００７】
例えば、「用紙種別」が「普通紙」と「上質紙」である同サイズの用紙が夫々の給紙トレイに収容され、ステイプルの上限処理枚数が「普通紙」では３０枚、「上質紙」では２０枚に設定された画像形成装置で、「普通紙」に印刷を行うように設定した印刷ジョブの出力用紙枚数が２５枚であるとき、当該印刷ジョブの実行時において、「普通紙」が１５枚しかないと仮定すると、ＡＴＳ機能により、１６枚目以降の印刷には「上質紙」が給紙されるが、合計出力用紙枚数が「上質紙」の許容枚数である２０枚となったときにステイプル不能と判断され、当該印刷ジョブが中断されていた。
【０００８】
つまり、作業効率を優先するために、印刷処理を中断させることなく給紙トレイを変更してまで当該印刷ジョブを継続させた意義が無くなってしまう。また、「普通紙」を補充することで当該印刷ジョブを継続することは可能だが、結局、出力された用紙は、「普通紙」と「上質紙」が混在した不自然な状態であり、改めて「普通紙」で印刷し直すと「上質紙」で出力された出力物が無駄になってしまう。
【０００９】
本発明の目的は、上記の問題点に鑑み、後処理が必要な印刷処理中に給紙不能となったとき、他の給紙部に切り替えて印刷処理を継続可能な画像形成装置であって、前記他の給紙部からの不要な給紙をなくし、資材コストを抑制することができる画像形成装置を提供する点にある。
【課題を解決するための手段】
【００１０】
上記目的を達成するために、本発明に係る画像形成装置の第一の特徴構成は、特許請求の範囲の書類の請求項１に記載した通り、印刷された用紙を後処理するフィニッシャの用紙属性毎に設定された上限処理枚数を管理する枚数管理手段と、用紙属性の異なる用紙が収容された複数の給紙部のうち初期選択された給紙部から給紙された用紙への印刷処理中に前記給紙部の用紙が切れると他の給紙部に切り替える自動給紙切替手段とを備えてなる画像形成装置であって、後処理を実行するように設定された印刷処理中に、選択されている給紙部の用紙が切れたときに、前記上限処理枚数と前記自動給紙切替手段による切替候補となる給紙部の用紙属性に基づいて自動給紙切替手段を作動させるか否かを判別する給紙部切替判別手段を備えている点にある。
【００１１】
上述の構成によれば、後処理を実行するように設定された印刷処理中に、給紙部切替判別手段により自動給紙切替手段を作動させるべきでないと判断されたときには、他の給紙部への切り替えは行われず、印刷処理は中断されるため、当該他の給紙部からの給紙を防止することができる。
【００１２】
同第二の特徴構成は、同請求項２に記載した通り、上述の第一特徴構成に加えて、前記給紙部切替判別手段は、原稿枚数に基づいて印刷枚数が前記切替候補となる給紙部の用紙属性に基づく上限処理枚数を超えると判断すると、前記自動給紙切替手段の作動を禁止する点にある。
【００１３】
上述の構成によれば、給紙部切替判別手段が原稿枚数に基づいて印刷枚数が前記切替候補となる給紙部の用紙属性に基づく上限処理枚数を超えると判断すると自動給紙切替手段の作動が禁止されるため、前記判断した時点以降に、当該他の給紙部からの給紙を防止することができる。
【００１４】
同第三の特徴構成は、同請求項３に記載した通り、上述の第一特徴構成に加えて、前記給紙部切替判別手段は、原稿枚数と印刷モードに基づいて印刷枚数が前記切替候補となる給紙部の用紙属性に基づく上限処理枚数を超えると判断すると、前記自動給紙切替手段の作動を禁止する点にある。
【００１５】
上述の構成によれば、給紙部切替判別手段が原稿枚数に基づいて印刷枚数が前記切替候補となる給紙部の用紙属性に基づく上限処理枚数を超えると判断すると自動給紙切替手段の作動が禁止されるため、前記判断した時点以降に、当該他の給紙部からの給紙を防止することができる。
【００１６】
同第四の特徴構成は、同請求項４に記載した通り、上述の第一から第三の何れかの特徴構成に加えて、印刷対象原稿の枚数を計数する原稿計数手段を備え、前記給紙部切替判別手段は、前記原稿計数手段により原稿枚数が確定するまで、前記自動給紙切替手段の作動を禁止する点にある。
【００１７】
上述の構成によれば、自動給紙切替手段の作動の可否を判断する条件が確定するまで、給紙部切替判別手段により自動給紙切替手段の作動が禁止されるため、当該他の給紙部からの不要な給紙を確実に防止することができる。
【００１８】
同第五の特徴構成は、同請求項５に記載した通り、上述の第一から第三の何れかの特徴構成に加えて、印刷対象原稿の枚数を計数する原稿計数手段を備え、前記原稿計数手段により計数された原稿枚数に基づいて印刷枚数が前記切替候補となる給紙部の用紙属性に基づく上限処理枚数未満であると判断すると、前記給紙切替判別手段は前記自動給紙切替手段の作動を許容し、その後、前記原稿計数手段により計数された原稿枚数に基づいて印刷枚数が前記上限処理枚数を超えると判断すると、前記給紙部からの給紙を停止させる給紙停止手段を備えている点にある。
【００１９】
上述の構成によれば、印刷枚数が前記上限処理枚数未満のときには、他の給紙部への切り替えが許容されるので生産効率は低下せず、前記原稿計数手段により計数された枚数が前記上限処理枚数を超えると判断すると、切り替えられた給紙部からの給紙が給紙停止手段により停止されるので、不要な給紙を防止することができる。
【発明の効果】
【００２０】
本発明によれば、後処理が必要な印刷処理中に給紙不能となったとき、他の給紙部に切り替えて印刷処理を継続可能な画像形成装置であって、前記他の給紙部からの不要な給紙をなくし、資材コストを抑制することができる画像形成装置を提供することができるようになった。
【発明を実施するための最良の形態】
【００２１】
以下に、電子写真方式による複写機を用いて、本発明を適用した画像形成装置の実施形態について説明する。
【００２２】
本発明による複写機１は、図２に示すように、液晶画面からなる表示部と、液晶画面に重ねて設置されたタッチパネル及びハードウェアキー等の入力部が配置された操作部１０と、原稿載置部１１にセットされた一連の原稿を順次読込んで電子データからなる画像データを生成する画像読取部１２と、画像読取部１２が生成した画像データに所定の画像処理を施す画像処理部１３と、画像処理部１３により画像処理された画像データに基づいて形成したトナー像を本発明における給紙部である給紙トレイ１４（１４ａ〜１４ｄ）から搬送した用紙上に転写、定着して出力する画像形成部１５と、画像形成部１５が出力する用紙にステイプル等の後処理を施して排紙トレイ１７に排紙する後処理部としてのフィニッシャ１６とを備えて構成される。
【００２３】
図１に示すように、操作部１０は操作制御部１００に、画像読取部１２は画像読取制御部１２０に、給紙トレイ１４と画像出力部１５とは画像出力制御部１５に、フィニッシャ１６は後処理制御部１６０に夫々制御され、これらの制御部は、内部バスを介して接続され、制御データや画像データ等の送受信が可能に構成されており、システム制御部１８に統括制御される。各制御部は、ＣＰＵと動作プログラムが格納されたＲＯＭと作業領域となるＲＡＭ等を備えて構成される。
【００２４】
操作制御部１００は、操作部１０に備えられた入力部１０１に対して行われたオペレータの操作入力を検出してシステム制御部１８に出力すると共に、システム制御部１８からの指示に基づき、当該指示に対応する表示画面を表示部１０２に表示する。
【００２５】
画像読取制御部１２０は、画像読取部１２を構成する原稿搬送機構や光源、ＣＣＤ等を制御して、原稿載置部１１にセットされた一連の原稿の画像データを生成させる。
【００２６】
画像処理部１３は、画像読取部１２により読み取られた画像データの階調補正やカラー補正、さらには拡縮処理等を行なって出力画像データを生成する。
【００２７】
画像出力制御部１５０は、画像出力部１５を構成する原稿搬送機構や現像ユニット、定着器等を制御して、画像処理部１３により画像処理された画像データに基づいて形成したトナー像を、原稿サイズ及びオペレータの拡縮指示に基づいて選択した給紙トレイから給紙した用紙に転写し、定着させる。また、給紙トレイ１４の夫々に備えられた用紙切れ検出センサ１４０から用紙切れ検出信号を受信すると、収容する用紙がなくなった給紙トレイ１４を判別しシステム制御部１８に出力する。
【００２８】
後処理制御部１６０は、フィニッシャ１６を構成するステイプラや穿孔機構等を制御し、オペレータにより設定された後処理モードに基づいて、画像出力部１５から出力されるトナー像が印刷された用紙にステイプルや穿孔等の後処理を行わせて排紙トレイ１７に排紙させる。
【００２９】
システム制御部１８は、各制御部を統括制御し、本発明に係る機能ブロックとして、印刷された用紙を後処理するフィニッシャ１６の用紙属性毎に設定された上限処理枚数を管理する枚数管理手段１８０と、用紙属性の異なる用紙が収容された複数の給紙トレイ１４（１４ａ〜１４ｄ）のうち初期選択された給紙トレイから給紙された用紙への印刷処理中に前記給紙トレイの用紙が切れると他の給紙トレイに切り替える自動給紙切替手段１８１とを備える。
【００３０】
枚数管理手段１８０は、図３（ａ）に示すように、用紙属性となる用紙の種別と、それに対応する後処理が可能な上限処理枚数が示されたテーブルデータでなり、システム制御部１８のＲＡＭまたはＲＯＭ上に予め設定されて記憶されている。用紙属性は「用紙の厚さ」と密接に関連するものであり、図３（ａ）に示すテーブルデータでなる枚数管理手段１８０に示された用紙属性は、「普通紙」や「上質紙」などの「用紙種別」でなるものとしたが、枚数管理手段１８０に記される用紙属性は、「用紙種別」の他、単位面積当たりの重量を示す「坪量」等、用紙厚さを特定できる情報であればよい。
【００３１】
自動給紙切替手段１８１は、システム制御部１８に備えるＲＯＭの格納する動作プログラム及び当該プログラムを実行するＣＰＵ及び周辺回路により具現化され、印刷処理中に用紙切れとなると、用紙切れした給紙トレイから当該印刷に使用する用紙と同サイズの用紙を収容した給紙トレイに切り替えて給紙を行い、印刷処理を継続させるＡＴＳ機能を実行する。
【００３２】
詳述すると、図３（ｂ）に示すように、システム制御部１８に備えるＲＡＭ上に設定されて記憶されている給紙トレイ１４（１４ａ〜１４ｄ）の夫々に収容された用紙の種別と用紙サイズの記憶データを参照し、印刷処理中において、当該印刷に使用される用紙と同一サイズの用紙を収容する給紙トレイを切替候補として選択し、画像出力制御部１５０からの出力信号に基づいて給紙中の給紙トレイの用紙切れを検出すると、当該印刷に用いる給紙トレイを切替候補の給紙トレイに切り替える。よって、当該切替候補の給紙トレイからの給紙により当該印刷処理は滞りなく継続される。また、同サイズの用紙がなければ、自動給紙切替手段１８１は切替候補となる給紙トレイを選択できない。よって、印刷処理中に給紙中の給紙トレイに用紙切れが発生すると給紙は不能になり、当該印刷処理は中断され、システム制御部１８が操作制御部１００に指示して、図３（ｃ）に示すような警告画面を表示部１０２に表示させ、給紙切れした給紙トレイに用紙が補充されると当該印刷処理を再開させる。
【００３３】
例えば、第一トレイにＡ４サイズの普通紙が、第二トレイにＡ４サイズの上質紙が、第三トレイにＡ３サイズの普通紙が、第四トレイにＢ４サイズのカラー紙が夫々収容された複写機１のシステム制御部１８のＲＡＭに、図３（ｂ）に示すように、各給紙トレイ１４に収容された用紙の種別とサイズの関係を示した記憶データが記憶されているとき、給紙トレイとして第一トレイを初期選択した印刷ジョブの実行中に用紙切れが発生すると、自動給紙切替手段１８１は給紙トレイを第二トレイに切り替え、給紙トレイとして第三トレイを初期選択した印刷ジョブの実行中に用紙切れが発生すると、同一サイズの用紙を収容する給紙トレイがないため、自動給紙切替手段１８１は給紙トレイの切替を行わないのである。
【００３４】
さらに、システム制御部１８は、後処理を実行するように設定された印刷処理中に、選択されている給紙トレイの用紙が切れたときに、前記上限処理枚数と自動給紙切替手段１８１による切替候補となる給紙トレイの用紙属性に基づいて自動給紙切替手段１８１を作動させるか否かを判別する給紙部切替判別手段１８２を備える。
【００３５】
給紙部切替判別手段１８２は、システム制御部１８の備えるＲＯＭの格納する動作プログラムを実行するＣＰＵにより具現化され、画像出力制御部１５０からの出力信号に基づき、後処理を実行するように設定された印刷処理中に、当該印刷に使用される用紙を給紙する給紙トレイの用紙切れを検出すると、枚数管理手段１８０と図３（ｂ）に示す記憶データとを参照し、自動給紙切替手段１８１の切替候補となる給紙トレイに収容された用紙の上限処理枚数に基づいて自動給紙切替手段１８１を作動させるか否かを判別する。
【００３６】
具体的には、給紙部切替判別手段１８２は、原稿枚数に基づいて印刷枚数が前記切替候補となる給紙トレイの用紙属性に基づく上限処理枚数を超えると判断すると、自動給紙切替手段１８１の作動を禁止し、上限処理枚数を超えないと判断すると自動給紙切替手段１８１の作動を許容する。
【００３７】
更に、複合機１では片面印刷の他、両面印刷、２ｉｎ１等の集約印刷などの印刷モードを設定して印刷を行うことが可能であり、両面印刷や集約印刷の印刷モードを設定した印刷ジョブの原稿枚数と印刷枚数とは異なる。例えば、印刷モードが片面印刷のときには印刷枚数は原稿枚数と同一枚数であり、両面印刷または片面印刷で且つ２ｉｎ１の集約印刷のときには印刷枚数は原稿枚数の半分の枚数となり、両面印刷且つ２ｉｎ１の集約印刷のときには印刷枚数は原稿枚数の四分の一の枚数となる。
【００３８】
そこで、原稿枚数と印刷枚数が異なる印刷ジョブの実行中においては、給紙部切替判別手段１８２は、原稿枚数と印刷モードに基づいて印刷枚数が前記切替候補となる給紙トレイの用紙属性に基づく上限処理枚数を超えると判断すると、自動給紙切替手段１８１の作動を禁止する。
【００３９】
よって、読み取った原稿の画像データをメモリに蓄積した後に印刷を開始する印刷ジョブの処理中に初期選択された給紙トレイで用紙切れが生じると、給紙切替判別手段１８２により自動給紙切替手段１８１の作動可否が判別され、作動が禁止されると自動給紙切替手段１８１は作動せず、給紙トレイの切替は行われないので、初期と異なる種別用紙の給紙は行われない。
【００４０】
ところで、複写機１で原稿を読み取りながら印刷を実行する、所謂「並行印刷」の処理中に給紙中の給紙トレイで用紙切れが生じると、当該用紙切れ時点では処理中の印刷ジョブの原稿枚数が不明であることがある。そこで、システム制御部１８に印刷対象原稿の枚数を計数する原稿計数手段１８３を備え、原稿計数手段１８３が計数した原稿枚数を、給紙部切替判別手段１８２による自動給紙切替手段１８１の作動可否の判定に使用する。
【００４１】
原稿計数手段１８３は、システム制御部１８の備えるＲＯＭの格納する動作プログラムを実行するＣＰＵにより具現化され、画像読取部１２により原稿が読み取られて生成された画像データ数を原稿枚数をとしてカウントする。
【００４２】
以下に、並行印刷時において、印刷に使用される用紙を無駄に給紙しないことに重点をおくため、給紙部切替判別手段１８２が、原稿計数手段１８３により原稿枚数が確定するまで、自動給紙切替手段１８１の作動を禁止するように構成されている複写機１の給紙部切替動作を、図４に示すフローチャートを用いて説明する。
【００４３】
並行印刷処理中に、用紙切れ検出センサ１４０により給紙トレイとして初期選択された給紙トレイの用紙切れが検出されたとき（ＳＡ１）、当該印刷ジョブに後処理設定がなければ（ＳＡ２）、自動給紙切替手段１８１が作動して（ＳＡ３）、切替候補の給紙トレイから給紙が行われて印刷処理は継続され、当該印刷ジョブに後処理設定があると（ＳＡ２）、給紙部切替判別手段１８２が自動給紙切替手段１８１の作動を禁止して（ＳＡ４）、印刷処理は中断される（ＳＡ５）が、原稿の読込処理は継続される。
【００４４】
画像読取部１２に全ての原稿が読み取られ、原稿計数手段１８３により計数される原稿枚数が確定すると（ＳＡ６）、給紙部切替判別手段１８２は、自動給紙切替手段１８１を作動させるか否かの判定を行い（ＳＡ７）、作動を禁止するときには（ＳＡ８）、表示部１０２には警告画面が表示され（ＳＡ９）、用紙切れが検出された用紙トレイに用紙が補充されると（ＳＡ１０）、印刷処理が再開され（ＳＡ１２）、作動を許容するときには（ＳＡ８）、自動給紙切替手段１８１が作動して（ＳＡ１１）、印刷処理が再開される（ＳＡ１２）。
【００４５】
以下に、並行印刷時において、作業効率の低下をできる限り抑えつつ、印刷に使用される用紙を無駄に給紙しないことに重点をおくため、システム制御部１８に給紙部からの給紙を停止させる給紙停止手段を備え、給紙切替判別手段１８２が、原稿計数手段１８３により計数された原稿枚数に基づいて印刷枚数が切替候補となる給紙トレイ１４の用紙属性に基づく上限処理枚数未満であると判断すると、自動給紙切替手段１８１の作動を許容するように構成され、給紙停止手段１８４が、その後、即ち、自動給紙切替手段１８１の作動後、原稿計数手段１８３により計数された原稿枚数に基づいて印刷枚数が上限処理枚数を超えると判断すると、切り替え後の給紙トレイ１４からの給紙を停止させるように構成されている複写機１の給紙部切替動作を、図５に示すフローチャートを用いて説明する。ここで、休止停止手段１８４は、システム制御部１８の備えるＲＯＭの格納する動作プログラムを実行するＣＰＵにより具現化されるものである。
【００４６】
並行印刷処理中に、用紙切れ検出センサ１４０により給紙トレイとして初期選択された給紙トレイの用紙切れが検出されたとき（ＳＢ１）、当該印刷ジョブに後処理設定がなければ（ＳＢ２）、自動給紙切替手段１８１が作動して（ＳＡ３）、切替候補の給紙トレイから給紙が行われて印刷処理は継続される。
【００４７】
当該印刷ジョブに後処理設定があるとき（ＳＢ２）、原稿計数手段１８３により計数される原稿枚数が確定していないと（ＳＢ４）、給紙部切替判別手段１８２は自動給紙切替手段１８１の作動を許容し（ＳＢ５）、自動給紙切替部１８１が作動して（ＳＢ６）、切替候補の給紙トレイから給紙が行われて印刷処理は継続される。
【００４８】
ステップＳＢ６の後、原稿計数手段１８３により計数される原稿枚数が確定し（ＳＢ７）、印刷枚数が後処理可能な上限処理枚数を超えなければ（ＳＢ８）、印刷処理は終了まで継続され、印刷枚数が後処理可能な上限処理枚数を超えると（ＳＢ８）、給紙停止手段１８４により給紙が停止され（ＳＢ９）、印刷処理が中断される（ＳＢ１２）。
【００４９】
当該印刷ジョブに後処理設定があるとき（ＳＢ２）、原稿計数手段１８３により計数される原稿枚数が確定すると（ＳＢ４）、給紙部切替判別手段１８２は、自動給紙切替手段１８１を作動させるか否かの判定を行い（ＳＢ１０）、自動給紙切替手段１８１の作動を許容するとき（ＳＢ１１）、自動給紙切替部１８１が作動して（ＳＢ３）、切替候補の給紙トレイから給紙が行われて印刷処理は継続され、自動給紙切替手段１８１の作動を許容しないとき（ＳＢ１１）、自動給紙切替手段１８１は作動せず、印刷処理が中断される（ＳＢ１２）。
【００５０】
ステップＳＢ１２のあと、表示部１０２には警告画面が表示され（ＳＢ１３）、用紙切れが検出された用紙トレイに用紙が補充されると（ＳＢ１４）、印刷処理が再開される（ＳＢ１５）。
【００５１】
以下に、別実施形態について説明する。
【００５２】
上述した実施形態では、給紙部切替判別手段１８２または給紙停止手段１８４は、印刷枚数が切替候補となる給紙トレイの用紙属性に基づく後処理が可能な上限処理枚数を超えるときに、自動給紙切替手段１８１の作動を禁止し、または切替候補の給紙トレイからの給紙を停止するものとして説明したが、印刷枚数が印刷されて出力される用紙の用紙属性等に基づいて、算出しまたはテーブルデータを参照して求められる「後処理が可能な上限処理枚数」を超えるときに、自動給紙切替手段１８１の作動を禁止し、または切替候補の給紙トレイからの給紙を停止するものであってもよい。
【００５３】
例えば、印刷されて出力される用紙として「普通紙」と「上質紙」とが用いられるとき、給紙部切替判別手段１８２または給紙停止手段１８４は、算出した印刷枚数が、「普通紙」と「上質紙」の後処理可能な上限処理枚数の割合に基づいて算出した後処理可能な上限処理枚数を超えるとき、自動給紙切替手段１８１の作動を禁止しまたは給紙停止手段１８４が給紙を停止するのである。
【００５４】
具体的に例示すると、印刷されて出力される用紙の総数が２５枚で、初期選択された給紙トレイから給紙される用紙が「普通紙」であり、１５枚を給紙した後、用紙切れとなったときの切替候補となる給紙トレイに収納された用紙が「上質紙」であるとき、上述した実施例では、給紙トレイの切替が実行されないか、または、給紙トレイの切替が実行された後、「上質紙」５枚を出力した時点で印刷が中断されるが、夫々の後処理可能な上限処理枚数から「上質紙」を「普通紙」１．５枚分に換算して上限処理枚数を算出すると、換算枚数は１５枚となり、印刷可能となるため、給紙部切替判別手段１８２は、自動給紙切替手段１８１を作動させることができ、給紙停止手段１８４が給紙を停止することはない。
【００５５】
上述した複数の実施例は共に単独で構成されるものばかりではなく、本発明による作用効果を奏する範囲において適宜組み合わせるも可能である。
【００５６】
上述した実施形態は何れも本発明の一実施例に過ぎず、当該記載により本発明の範囲が限定されるものではなく、各部の具体的構成は本発明による作用効果を奏する範囲において適宜変更することができることは言うまでもない。
【図面の簡単な説明】
【００５７】
【図１】本発明に関する複写機の主要ブロック構成図
【図２】複写機の説明図
【図３】（ａ）用紙種別と後処理可能枚数の関係を示したテーブルデータ、（ｂ）各給紙トレイに収容された用紙の用紙種別と用紙サイズの記憶データ（ｃ）給紙中の給紙トレイが用紙切れとなったときの警告画面
【図４】給紙部切替動作を説明するフローチャート
【図５】給紙部切替動作を説明するフローチャート
【符号の説明】
【００５８】
１０：操作部
１２：画像読取部
１３：画像処理部
１４：給紙部（給紙トレイ）
１５：画像出力部
１６：フィニッシャ
１８：システム制御部
１００操作制御部
１０１：入力部
１０２：表示部
１２０：画像読取部
１４０：用紙切れ検出センサ
１５０：画像出力制御部
１６０：後処理制御部
１８０：枚数管理手段
１８１：自動給紙切替手段
１８２：給紙部切替判断手段
１８３：原稿計数手段
１８４：給紙停止手段
【図１】
2008239296.tif 000003
【図２】
2008239296.tif 000004
【図３】
2008239296.tif 000005
【図４】
2008239296.tif 000006
【図５】
2008239296.tif 000007